(57)【要約】【課題】  操作の手間が削減された画像提示卓および画像提示システムを提供することを目的とする。【解決手段】  第１のユニット１０に備えられた第１のカメラ１２で資料を撮影して得られた第１の画像信号、第２のカメラ１３で操作者の顔を撮影して得られた第２の画像信号、およびパーソナルコンピュータからの第３の画像信号を、第２のフレーム２０に備えられた信号受取部２１で受け取って、これら画像信号の中から任意の画像信号を操作卓２２＿１の操作に応じて画像選択部２２で選択して、信号伝送部２３でケーブル１２１を経由してプロジェクタに伝送する。【選択図】        図１
2005064847.tif 000002
【特許請求の範囲】
【請求項１】
表示画面上に画像を表示する画像表示部を有し情報処理を行なうコンピュータの該画像表示部上部に着脱自在に装着される第１のユニットと、
画像信号を、資料としての画像を提示する資料提示装置に向けて伝送する第２のユニットとを備え、
前記第１のユニットが、
前記画像表示部上部に着脱自在に装着される装着部を下部に備えた第１のユニットフレームと、
前記第１のユニットフレーム上部に取り付けられ、前記装着部が前記画像表示部上部に装着された状態において前記表示画面直前の下方を撮影して第１の画像信号を生成する第１のカメラと、
前記第１のユニットフレームの、前記第１のカメラの取付位置よりも下部に取り付けられ、前記装着部が前記画像表示部上部に装着された状態において前記表示画面が向いた前方を撮影して第２の画像信号を生成する第２のカメラと、
前記第１のカメラおよび前記第２のカメラでの撮影により得られた第１の画像信号および第２の画像信号を前記第２のユニットに向けて送り出す信号送出部とを備え、
前記第２のユニットが、
前記第１の画像信号、前記第２の画像信号、および、前記コンピュータから送出される、該コンピュータの表示画面に表示されている画像を表わす第３の画像信号を受け取る信号受取部と、
前記信号受取部で受け取った画像信号の中から任意の画像信号を選択する画像選択部と、
前記画像選択部で選択された画像信号を、前記資料提示装置に向けて伝送する信号伝送部と、
前記信号受取部、前記画像選択部、および前記信号伝送部を保持する第２のユニットフレームとを備えたことを特徴とする画像提示卓。
【請求項２】
前記第１のユニットフレームおよび前記第２のユニットフレームは、該第１のユニットフレームが、前記画像表示部上部から取り外された状態において、該第１のユニットが、該第２のユニットに対し、前記第１のカメラが前記第２のユニット直前の下方を撮影するとともに前記第２のカメラが前記第２のユニット前方を撮影する向きに、相互に分離自在に合体されるものであることを特徴とする請求項１記載の画像提示卓。
【請求項３】
前記第１のユニットが、前記表示画面が向いた前方からの音声をピックアップするマイクロホンを備え、
前記信号送出部が、さらに、前記マイクロホンで得られる音声信号を送出するものであり、
前記信号受取部が、さらに、前記音声信号を受け取るものであり、
前記信号伝送部が、さらに、前記音声信号を伝送するものであることを特徴とする請求項１記載の画像提示卓。
【請求項４】
前記第２のユニットフレームが、下部に、該第２のユニットフレームを台の上に置いたときに用紙が通過する隙き間を有するものであることを特徴とする請求項２記載の画像提示卓。
【請求項５】
前記画像選択部が、前記第２のユニットフレームに着脱自在に画像信号選択操作を行なうための操作卓を有するものであることを特徴とする請求項１記載の画像提示卓。
【請求項６】
前記第２のユニットが、該第２のユニットフレームに回動自在に取り付けられ該第２のユニットの姿勢に応じて向きの変更が自在な、前記画像選択部で選択された画像信号に基づく画像を表示するモニタ画面を備えたことを特徴とする請求項１記載の画像提示卓。
【請求項７】
表示画面上に画像を表示する画像表示部と入力操作を行なうためのキーボードとを有しこれら画像表示部とキーボードとが開閉自在に構成された、情報処理を行なうコンピュータ、および
前記キーボードを上から撮影して第１の画像信号を生成する第１のカメラと、前記画像表示部に向かい前記キーボードを操作する姿勢にある操作者の顔を撮影して第２の画像信号を生成する第２のカメラと、前記第１のカメラおよび前記第２のカメラでの撮影により得られた第１の画像信号および第２の画像信号、並びに前記表示画面上に表示されている画像をあらわす第３の画像信号の中から任意の画像信号を選択する画像選択部と、前記画像選択部で選択された画像信号を、資料としての画像を提示する資料提示装置に向けて伝送する信号伝送部とを備え、前記コンピュータに取着されて収納状態と使用状態との間で姿勢変更自在な画像提示卓を備えたことを特徴とする画像提示システム。
【発明の詳細な説明】
【技術分野】
【０００１】
本発明は、会議、講演、学校教育、社内研修等で用いられ、資料としての画像を提示する資料提示装置に向けて画像信号を伝送する画像提示卓、およびその画像提示卓を備えた画像提示システムに関する。
【背景技術】
【０００２】
従来より、会議、講演、学校教育、社内研修会議等において、資料をカメラで撮影して画像信号を得、得られた画像信号を、資料としての画像を提示する資料提示装置であるプロジェクタ等に向けて伝送する技術が知られている。
【０００３】
例えば、多地点においてテレビ会議を行なうにあたり、多地点から多方向で参加者を撮影して得られた画像信号をコンピュータ上で合成し、合成された画像信号をプロジェクタに向けて伝送する技術を採用した多地点テレビ会議システムが提案されている（特許文献１参照）。このシステムによれば、参加者は、コンピュータ上で合成されたグラフィック映像により臨場感の高い仮想的な会議空間を得ることができる。
【０００４】
また、会議や講演等で使用される資料が載置されるステージと、そのステージに支持されてカメラが内蔵されたカメラアームと、複数種類のボタンを有する操作パネルとを備え、ステージに載置された資料をカメラで撮影して得られた画像データを、押下されたボタンの種類に応じて区分し圧縮してファイリングし、ファイリングされた画像データが表わす画像信号を外部のパーソナルコンピュータからの指示によりそのパーソナルコンピュータに送出する装置が提案されている（特許文献２参照）。この装置によれば、資料を表わす画像データを圧縮してファイリングするため、メモリ容量が小さくて済むとともに、後日の取出し時にテーマに応じた画像データが表わす画像信号を外部のパーソナルコンピュータに簡単に伝送することができる。
【特許文献１】特開２０００−１６５８３１号公報
【特許文献２】特開２００２−３６９０６３号公報
【発明の開示】
【発明が解決しようとする課題】
【０００５】
近年、会議、講演、学校教育、社内研修等において、カメラで撮影された資料を表わす画像をプロジェクタに表示させるとともに、パーソナルコンピュータからの画像をプロジェクタに表示させる機会が増えてきている。ここで、プロジェクタに、カメラからのケーブルが接続されている場合、パーソナルコンピュータからの画像信号をプロジェクタに表示させるためには、そのプロジェクタに接続されているカメラからのケーブルを取り外して、パーソナルコンピュータからのケーブルをそのプロジェクタに接続する必要がある。
【０００６】
また、資料を撮影するカメラとは別に操作者（講師等）の顔を撮影するためのカメラを備え、そのカメラで撮影された操作者の顔をプロジェクタに表示させるようにすると、会議や講演等の参加者は、プロジェクタから目を離さずに操作者の表情を把握することができるという利点があるものの、そのプロジェクタに接続されている資料撮影用のカメラからのケーブルに代えて操作者の顔を撮影するカメラからのケーブルをプロジェクタに接続する必要がある。さらに、例えば、プロジェクタにＤＶＤ（Ｄｉｇｉｔａｌ  Ｖｅｒｓａｔｉｌｅ  Ｄｉｓｋ）装置からの画像を表示させたい場合、そのプロジェクタに接続されているカメラ等の機器からのケーブルに代えてＤＶＤ装置からのケーブルを接続する必要がある。このように、プロジェクタに種々の機器からの画像を表示させたい場合、操作者の説明の進捗状況に合わせて、それら機器間でその都度ケーブルの入替え作業を行なったり、操作者がそれぞれの機器に移動して操作したりする必要がある。
【０００７】
ここで、上述した特許文献１に提案された、多地点から多方向で参加者を撮影して得られた画像信号をコンピュータ上で合成して、プロジェクタに向けて伝送する技術を採用した場合、操作者の顔を表わす画像をプロジェクタに表示することはできるものの、パーソナルコンピュータやＤＶＤ装置等の機器からの画像をプロジェクタに表示するためには、それら機器からのケーブルの入替え作業等が発生する。
【０００８】
また、特許文献２に提案された、カメラで撮影して得られた画像データを、押下されたボタンの種類に応じて区分し圧縮してファイリングし、ファイリングされた画像データが表わす画像信号をパーソナルコンピュータからの指示により送出する技術を採用した場合、資料を表わす画像をプロジェクタに表示することはできるものの、カメラで撮影された操作者の顔を表わす画像や、パーソナルコンピュータ，ＤＶＤ装置からの画像をプロジェクタに表示するためには、それら機器からのケーブルの入替え作業等が発生する。従って、プロジェクタに代表される資料提示装置に種々の機器からの画像を提示させるにあたり、操作性が悪いという問題がある。
【０００９】
本発明は、上記事情に鑑み、操作の手間が削減された画像提示卓および画像提示システムを提供することを目的とする。
【課題を解決するための手段】
【００１０】
上記目的を達成する本発明の画像提示卓は、
表示画面上に画像を表示する画像表示部を有し情報処理を行なうコンピュータのその画像表示部上部に着脱自在に装着される第１のユニットと、
画像信号を、資料としての画像を提示する資料提示装置に向けて伝送する第２のユニットとを備え、
上記第１のユニットが、
上記画像表示部上部に着脱自在に装着される装着部を下部に備えた第１のユニットフレームと、
上記第１のユニットフレーム上部に取り付けられ、上記装着部が上記画像表示部上部に装着された状態において上記表示画面直前の下方を撮影して第１の画像信号を生成する第１のカメラと、
上記第１のユニットフレームの、上記第１のカメラの取付位置よりも下部に取り付けられ、上記装着部が上記画像表示部上部に装着された状態において上記表示画面が向いた前方を撮影して第２の画像信号を生成する第２のカメラと、
上記第１のカメラおよび上記第２のカメラでの撮影により得られた第１の画像信号および第２の画像信号を上記第２のユニットに向けて送り出す信号送出部とを備え、
上記第２のユニットが、
上記第１の画像信号、上記第２の画像信号、および、上記コンピュータから送出される、そのコンピュータの表示画面に表示されている画像を表わす第３の画像信号を受け取る信号受取部と、
上記信号受取部で受け取った画像信号の中から任意の画像信号を選択する画像選択部と、
上記画像選択部で選択された画像信号を、上記資料提示装置に向けて伝送する信号伝送部と、
上記信号受取部、上記画像選択部、および上記信号伝送部を保持する第２のユニットフレームとを備えたことを特徴とする。
【００１１】
本発明の画像提示卓は、第１のカメラで例えば資料を撮影して得られた第１の画像信号、第２のカメラで例えば操作者の顔を撮影して得られた第２の画像信号、およびコンピュータからの第３の画像信号を受け取って、これら画像信号の中から任意の画像信号を選択して、最終的に１本のケーブルで資料としての画像を提示する資料提示装置に伝送することができる。従って、資料提示装置に画像を提示させるにあたり、説明の進捗状況に合わせて、第１のカメラ，第２のカメラ，コンピュータからのケーブルの入替え作業をその都度行なったり、それら第１のカメラ，第２のカメラ，コンピュータに移動して操作したりする必要はなく、手間が削減される。今後、個人レベルでも国際会議等に参加する機会が増えつつあり、これに伴い売上表，個人の顔，コンピュータの画面を提示する要求（ニーズ）が増える傾向にある。本発明は、このようなニーズに対して有用である。
【００１２】
ここで、上記第１のユニットフレームおよび上記第２のユニットフレームは、その第１のユニットフレームが、上記画像表示部上部から取り外された状態において、その第１のユニットが、その第２のユニットに対し、上記第１のカメラが上記第２のユニット直前の下方を撮影するとともに上記第２のカメラが上記第２のユニット前方を撮影する向きに、相互に分離自在に合体されるものであることが好ましい。
【００１３】
このようにすると、本発明にいうコンピュータがいわゆるノートパソコン等の小型のパーソナルコンピュータであっても、第１のユニットを第２のユニットに対して分離し、分離された第１のユニットを、そのパーソナルコンピュータの画像表示部上部に好適に装着することができる。また、第１のユニットを第２のユニットに対して合体すると、第１のユニットと第２のユニットとの距離が短くなるため、第１のユニットに備えられた第１,第２のカメラからの画像信号を伝送するケーブルを短くすることができる。
【００１４】
また、上記第１のユニットが、上記表示画面が向いた前方からの音声をピックアップするマイクロホンを備え、
上記信号送出部が、さらに、上記マイクロホンで得られる音声信号を送出するものであり、
上記信号受取部が、さらに、上記音声信号を受け取るものであり、
上記信号伝送部が、さらに、上記音声信号を伝送するものであることも好ましい態様である。
【００１５】
このようなマイクロホンを備え、そのマイクロホンからの音声信号を資料提示装置に向けて伝送すると、その資料提示装置から画像とともに音声も出力されるため、講演等における効果を高めることができる。
【００１６】
さらに、上記第２のユニットフレームが、下部に、その第２のユニットフレームを台の上に置いたときに用紙が通過する隙き間を有するものであることも好ましい。
【００１７】
このようにすると、用紙を隙き間に通過させることにより、第１のカメラで用紙の所望の部分を撮影することができる。従って、第１のカメラを操作して用紙の所望の部分を撮影する必要はなく、さらに操作性が高まる。
【００１８】
また、上記画像選択部が、上記第２のユニットフレームに着脱自在に画像信号選択操作を行なうための操作卓を有するものであることも好ましい。
【００１９】
このような操作卓を有すると、本発明の画像提示卓から離れた場所においても画像信号を簡単に選択することができる。
【００２０】
さらに、上記第２のユニットが、その第２のユニットフレームに回動自在に取り付けられその第２のユニットの姿勢に応じて向きの変更が自在な、上記画像選択部で選択された画像信号に基づく画像を表示するモニタ画面を備えたものであることも好ましい。
【００２１】
このようなモニタ画面を備えると、資料提示装置に表示された画像を確認することに代えてモニタ画面を確認すれば済み、従って目線を大きく変える必要はなく操作性が高まる。
【００２２】
また、上記目的を達成する本発明の画像提示システムは、
表示画面上に画像を表示する画像表示部と入力操作を行なうためのキーボードとを有しこれら画像表示部とキーボードとが開閉自在に構成された、情報処理を行なうコンピュータ、および、
上記キーボードを上から撮影して第１の画像信号を生成する第１のカメラと、上記画像表示部に向かい上記キーボードを操作する姿勢にある操作者の顔を撮影して第２の画像信号を生成する第２のカメラと、上記第１のカメラおよび上記第２のカメラでの撮影により得られた第１の画像信号および第２の画像信号、並びに上記表示画面上に表示されている画像をあらわす第３の画像信号の中から任意の画像信号を選択する画像選択部と、上記画像選択部で選択された画像信号を、資料としての画像を提示する資料提示装置に向けて伝送する信号伝送部とを備え、上記コンピュータに取着されて収納状態と使用状態との間で姿勢変更自在な画像提示卓を備えたことを特徴とする。
【００２３】
本発明の画像提示システムは、第１のカメラでキーボードを上から撮影して得られた第１の画像信号、第２のカメラで操作者の顔を撮影して得られた第２の画像信号、およびコンピュータの表示画面上に表示されている画像をあらわす第３の画像信号を選択して、資料提示装置に伝送するものであるため、資料提示装置に画像を提示させるにあたり、説明の進捗状況に応じて、その都度、機器に接続されているケーブルの入替え作業を行なったり、それぞれの機器に移動して操作したりする必要はなく、手間が削減される。また、本発明の画像提示システムは、コンピュータと、そのコンピュータに取着されて収納状態と使用状態との間で姿勢変更自在な画像提示卓を備えたものであるため、収納状態においてコンパクトなシステムが実現される。従って、携帯に好適な画像提示システムを提供することができる。
【発明の効果】
【００２４】
本発明の画像提示卓は、第１のカメラで撮影して得られた第１の画像信号、第２のカメラで撮影して得られた第２の画像信号、およびコンピュータからの第３の画像信号を受け取って、これら画像信号の中から任意の画像信号を選択して、最終的に１本のケーブルで資料提示装置に伝送することができる。従って、説明の進捗状況に合わせて、その都度ケーブルの入替え作業を行なったり、それぞれの機器に移動して操作したりする必要はなく、資料としての画像を提示する資料提示装置に画像を提示させるにあたり、手間が削減される。
【００２５】
また、本発明の画像提示システムは、第１のカメラで得られた第１の画像信号、第２のカメラで得られた第２の画像信号、およびコンピュータの表示画面上に表示されている画像をあらわす第３の画像信号を選択して、資料提示装置に伝送するものであるため、資料提示装置に画像を提示させるにあたり、説明の進捗状況に応じて、その都度、機器に接続されているケーブルの入替え作業を行なったり、それぞれの機器に移動して操作したりする必要はなく、手間が削減される。また、コンピュータと、そのコンピュータに取着されて収納状態と使用状態との間で姿勢変更自在な画像提示卓を備えたものであるため、収納状態においてコンパクトなシステムが実現され、携帯に好適な画像提示システムを提供することができる。
【発明を実施するための最良の形態】
【００２６】
以下、本発明の実施形態について説明する。
【００２７】
図１は、本発明の一実施形態の画像提示卓を前面斜め上から見た外観斜視図、図２は、図１に示す画像提示卓を構成する第１のユニットがパーソナルコンピュータの画像表示部上部に装着された状態を示す図である。
【００２８】
図１に示す画像提示卓１には、第１のユニット１０および第２のユニット２０が備えられている。
【００２９】
第１のユニット１０は、図２に示すように、表示画面上に画像を表示する画像表示部１０１を有し情報処理を行なう、いわゆるノートパソコンと称されるパーソナルコンピュータ１００（本発明にいうコンピュータの一例に相当）の画像表示部１０１の上部に着脱自在に装着される。一方、第２のユニット２０は、詳細は後述するが、画像信号を、資料としての画像を提示する資料提示装置であるプロジェクタに向けて伝送するユニットである。先ず、第１のユニット１０の構成について説明する。
【００３０】
図１、図２に示す第１のユニット１０には、画像表示部１０１の上部に着脱自在に装着される装着部１１＿１を下部に備えた第１のユニットフレーム１１が備えられている。
【００３１】
また、この第１のユニット１０には、第１のユニットフレーム１１の上部に取り付けられ、装着部１１＿１が画像表示部１０１の上部に装着された状態においてパーソナルコンピュータ１００の表示画面直前の下方を撮影して第１の画像信号を生成する第１のカメラ１２が備えられている。
【００３２】
さらに、第１のユニット１０には、第１のユニットフレーム１１の、第１のカメラ１２の取付位置よりも下部に取り付けられ、装着部１１＿１が画像表示部１０１の上部に装着された状態において、パーソナルコンピュータ１００の表示画面が向いた前方である操作者を撮影して第２の画像信号を生成する第２のカメラ１３が備えられている。
【００３３】
また、第１のユニット１０には、第１のカメラ１２および第２のカメラ１３での撮影により得られた第１の画像信号および第２の画像信号を第２のユニット２０に向けて送り出す信号送出部１４が備えられている。
【００３４】
さらに、第１のユニット１０には、パーソナルコンピュータ１００の表示画面が向いた前方からの音声をピックアップするマイクロホン１５が備えられている。このマイクロホン１５で得られた音声信号は、上記信号送出部１４から送出される。
【００３５】
また、第１のユニット１０には、パーソナルコンピュータ１００の表示画面直前の下方を照射する照明部１６が備えられている。
【００３６】
ここで、信号送出部１４にはケーブル１７が接続されている。このケーブル１７は、第１の画像信号、第２の画像信号、音声信号、および照明部１６を照明させるための信号を伝送する。また、パーソナルコンピュータ１００には、そのパーソナルコンピュータ１００からの第３の画像信号を伝送するためのケーブル１０２が接続されている。
【００３７】
次に、第２のユニット２０の構成について、図１を参照して説明する。
【００３８】
図１に示す第２のユニット２０には、信号受取部２１と、画像選択部２２と、信号伝送部２３と、それら信号受取部２１，画像選択部２２，信号伝送部２３を保持する第２のユニットフレーム２４と、第２のユニットフレーム２４の底部に固定された保持台２５とが備えられている。第２のユニットフレーム２４は、上述したケーブル１７,１０１が接続されるコネクタ２４＿１，２４＿２と、プロジェクタ１２０用のケーブル１２１が接続されるコネクタ２４＿３と、ＩＣメモリカード１１０が挿入されるスロット２４＿５とを有する。また、この第２のユニットフレーム２４は、保持台２５に載置された用紙（図示せず）が、その第２のユニットフレーム２４を通り抜けて通過する隙き間２４ａを有する。
【００３９】
信号受取部２１は、信号送出部１４に接続されたケーブル１７から伝送される第１のカメラ１２からの第１の画像信号,第２のカメラ１３からの第２の画像信号,マイクロホン１５からの音声信号を、コネクタ２４＿１を経由して受け取るとともに、そのコネクタ２４＿１を経由して照明用の信号を照明部１６に伝送する。また、この信号受取部２１は、パーソナルコンピュータ１００に接続されたケーブル１０２から伝送されるパーソナルコンピュータ１００からの第３の画像信号を、コネクタ２４＿２を経由して受け取る。さらに、この信号受取部２１は、ＩＣメモリカード１１０からの画像データを、スロット２４＿５を経由して受け取る。
【００４０】
画像選択部２２は、第２のユニットフレーム２４に着脱自在に装着されて画像信号選択操作を行なったり、第１のカメラ１２，第２のカメラ１３のズーム動作やピント調節を行なうための操作卓２２＿１を有する。操作卓２２＿１はケーブル２２＿２で画像選択部２２に接続されている。この画像選択部２２は、操作卓２２＿１の操作に応じて、信号受取部２１で受け取った画像信号の中から任意の画像信号を選択したり、第１のカメラ１２，第２のカメラ１３のズーム動作やピント調節を行なうためのカメラ制御を行なう。
【００４１】
信号伝送部２３は、画像選択部２２で選択された画像信号および音声信号を、プロジェクタ１２０に向けてケーブル１２１を経由して伝送する。
【００４２】
図３は、図１に示す画像提示卓と周辺機器との接続を示す図である。
【００４３】
図３に示す画像提示卓１には、前述した第１のカメラ１２，第２のカメラ１３，マイクロホン１５，照明部１６と、制御回路３０とが備えられている。
【００４４】
制御回路３０には、前述した信号送出部１４,信号受取部２１,画像選択部２２,信号伝送部２３が備えられている。尚、この図３には、制御回路３０に備えられた画像選択部２２を構成するカメラ制御部２２＿３が示されており、このカメラ制御部２２＿３により、操作卓２２＿１の操作に応じて、第１のカメラ１２，第２のカメラ１３のズーム動作やピント調節が制御される。
【００４５】
また、画像提示卓１には、ＡＣ１００Ｖの電源を入力して所定のＤＣ電圧に変換するＡＣ／ＤＣ変換器３１と、そのＡＣ／ＤＣ変換器３１からのＤＣ電圧で充電可能な２次電池であるバッテリ３２が備えられている。尚、画像提示卓１には、ＡＣ／ＤＣ変換器３１のみ備えてもよく、あるいはバッテリ３２のみ備えてもよい。また、このようなバッテリ３２に代えて燃料電池等を用いることもできる。ＡＣ／ＤＣ変換器３１やバッテリ３２からのＤＣ電圧は、この画像提示卓１の構成要素に供給されるとともに、ＩＣメモリカード１１０およびパーソナルコンピュータ１００に供給される。従って、画像提示卓１の全ての構成要素、およびその画像提示卓１に接続される周辺機器であるＩＣメモリカード１１０やパーソナルコンピュータ１００に必要な電圧を、１つの電源から供給することができるため、電源配線が簡素化される。
【００４６】
画像提示卓１には、プロジェクタ１２０が接続されており、この画像提示卓１は、制御回路３０を構成する信号伝送部２３からの画像信号および音声信号をプロジェクタ１２０に伝送する。プロジェクタ１２は、伝送されてきた画像信号で表わされる画像を表示するとともに、伝送されてきた音声信号で表わされる音声を空中に放音する。
【００４７】
本実施形態の画像提示卓１は、第１のカメラ１２で資料を撮影して得られた第１の画像信号、第２のカメラ１３で操作者の顔を撮影して得られた第２の画像信号、およびパーソナルコンピュータ１００からの第３の画像信号を受け取って、操作卓２２＿１を操作して、それら画像信号の中から任意の画像信号を選択して、最終的に１本のケーブル１２１でプロジェクタ１２０に伝送する。即ち、第１のカメラ１２、第２のカメラ１３、パーソナルコンピュータ１００からの３つの画像信号を操作卓２２＿１で簡単に切り替えてケーブル１２１でプロジェクタ１２０に伝送する。従って、説明の進捗状況に合わせて、その都度ケーブルの入替え作業を行なったり、それぞれの機器に移動して操作したりする必要はなく、プロジェクタ１２０に画像を提示させるにあたり、手間が削減される。
【００４８】
また、本実施形態の画像提示卓１は、第１のユニット１０が、第２のユニット２０に対し、第１のカメラ１２が第２のユニット２０の直前の下方を撮影するとともに第２のカメラ１３が第２のユニット２０の前方を撮影する向きに、相互に分離自在に合体されるものである。このため、図２に示すように、いわゆるノートパソコンであるパーソナルコンピュータ１００であっても、第１のユニット１０を第２のユニット２０に対して分離し、分離された第１のユニット１０を、パーソナルコンピュータ１００の画像表示部１０１の上部に簡単に装着することができる。一方、図１に示すように、第１のユニット１０を第２のユニット２０に対して合体すると、第１のユニット１０と第２のユニット２０との距離が短くなるため、第１のユニット１０に備えられた第１,第２のカメラ１２,１３からの画像信号を伝送するケーブル１７を短くすることができる。
【００４９】
また、本実施形態の画像提示卓１には、マイクロホン１５が備えられており、このマイクロホン１５からの音声信号がプロジェクタ１２０に向けて伝送されるため、プロジェクタ１２０から選択された画像とともに音声も出力される。従って、講演等における効果を高めることができる。
【００５０】
さらに、第２のユニットフレーム２４は、その第２のユニットフレーム２４を通り抜けて用紙が通過する隙き間２４ａを有するため、第１のカメラ１２で用紙の所望の部分を撮影するにあたり、その用紙を隙き間２４ａに通過させることにより、第１のカメラ１２で用紙の所望の部分を撮影することができる。従って、第１のカメラ１２を操作して用紙の所望の部分を撮影する必要はなく、操作性がよい。
【００５１】
また、画像信号選択操作を行なうための操作卓２２＿１を有するため、画像提示卓１から離れた場所においても、第１，第２のカメラ１２，１３およびパーソナルコンピュータ１００からの３つの画像信号を簡単に切り替えることができる。
【００５２】
さらに、第１のユニット１０には、照明部１６が備えられているため、周囲が比較的暗い場合であっても、その照明部１６からの照明光により、第１のカメラ１２で撮影される用紙の内容やパーソナルコンピュータ１００のキーボード等を確実に認識することができる。
【００５３】
尚、ここでは、操作卓２２＿１と画像選択部２２はケーブル２２＿２で接続されている例で説明したが、赤外線やブルートゥース等の電波で通信を行なういわゆる無線ＬＡＮ等で操作卓と画像選択部との間で信号のやりとりを行なってもよい。このようにすると、ケーブルが不要になるため、操作性がさらに高まる。
【００５４】
図４は、図１に示す第２のユニットとは異なる第２のユニットを前面斜め上から見た外観斜視図である。
【００５５】
図４に示す第２のユニット４０には、前述したコネクタ２４＿１，２４＿２，２４＿３，スロット２４＿５を有するとともに、保持台４５に載置された用紙が通過する隙き間を形成する凹部４４ａを有する第２のユニットフレーム４４が備えられている。第２のユニットフレーム４４の底部には、この第２のユニットフレーム４４を保持台４５の方向（この図４の手前方向）に倒すためのヒンジ４６が取り付けられている。
【００５６】
また、第２のユニット４０には、第２のユニットフレーム４４に回動自在に取り付けられその第２のユニット４０の姿勢に応じて向きの変更が自在な、操作卓２２＿１で操作されて選択された画像信号に基づく画像を表示するモニタ画面４７が備えられている。
【００５７】
図５は、図４に示す第２のユニットに備えられたモニタ画面が矢印Ａ方向に起立された状態を示す図である。
【００５８】
図５に示すように、第２のユニット４０を構成する第２のユニットフレーム４４は、保持台４５の方向に倒されており、またモニタ画面４７は矢印Ａ方向に起立されている。また、第２のユニットフレーム４４は、操作卓２２＿１を収納するための凹部４４ｂを有する。
【００５９】
第２のユニット４０には、このようなモニタ画面４７が備えられているため、操作者はプロジェクタに表示された画像を確認することに代えてモニタ画面４７を確認すれば済み、従って目線を大きく変える必要はない。また、画像提示卓を使用しない場合、操作卓２２＿１を凹部４４ｂに収納することにより、コンパクトな収納が実現される。
【００６０】
図６は、本発明の一実施形態の画像提示システムを前面斜め上から見た外観斜視図である。
【００６１】
図６に示す画像提示システム２には、パーソナルコンピュータ２００と画像提示卓３００が備えられている。
【００６２】
パーソナルコンピュータ２００は、表示画面上に画像を表示する画像表示部２０１と入力操作を行なうためのキーボード２０２とを有する。画像表示部２０１およびキーボード２０２は、矢印Ａ方向および矢印Ｂ方向に開閉自在に構成されている。
【００６３】
画像提示卓３００は、支持部材３０１と、その支持部材３０１に回動自在に装着された装着部３０２と、装着部材３０１に取り付けられて矢印方向Ｃに移動自在なフレーム３０３と、そのフレーム３０３に取り付けられて矢印方向Ｄに折りたたみ自在なフレーム３０４と、収納台３３０とを有する。
【００６４】
フレーム３０４には、キーボード２０２を上から撮影して第１の画像信号を生成する第１のカメラ３１２と、パーソナルコンピュータ２００の画像表示部２０１に向かいキーボード２０２を操作する姿勢にある操作者の顔を撮影して第２の画像信号を生成する第２のカメラ３１３と、操作者の音声をピックアップするマイクロホン３１５と、キーボート２０２を照射する照明部３１６とが備えられている。
【００６５】
収納台３３０には、画像選択部３３１と信号伝送部３３２が備えられている。画像選択部３３１は、第１のカメラ３１２および第２のカメラ３１３での撮影により得られた第１の画像信号および第２の画像信号、並びにパーソナルコンピュータ２００の表示画面上に表示されている画像をあらわす第３の画像信号の中から任意の画像信号を選択する。また、信号伝送部３３２は、画像選択部３３１で選択された画像信号を、資料としての画像を提示する資料提示装置であるプロジェクタ（図示せず）に向けて伝送する。
【００６６】
以上の例では資料提示装置としてプロジェクタについて説明したが、これらは必ずしもプロジェクタでなくても大型平面ディスプレーのプラズマディスプレーなどの電子ディスプレー装置でも良いことは明白である。あるいはマルチ画面の大型画像提示装置なども考えられる。
【００６７】
本実施形態の画像提示システム２は、第１のカメラ３１２で資料を撮影して得られた第１の画像信号、第２のカメラ２１３で操作者の顔を撮影して得られた第２の画像信号、およびパーソナルコンピュータ２００からの第３の画像信号を受け取って、それら画像信号の中から任意の画像信号を選択して、プロジェクタに伝送するものであるため、そのプロジェクタに画像を表示させるにあたり、説明の進捗状況に応じて、その都度、機器に接続されているケーブルの入替え作業を行なったり、それぞれの機器に移動して操作したりする必要はなく、手間が削減される。また、この画像提示システム２は、パーソナルコンピュータ２００と、そのパーソナルコンピュータ２００に上述したようにして取着されて収納状態と使用状態との間で姿勢変更自在な画像提示卓３００を備えたものであるため、収納状態においてコンパクトなシステムが実現される。従って、携帯に好適な画像提示システム２を提供することができる。
【図面の簡単な説明】
【００６８】
【図１】本発明の一実施形態の画像提示卓を前面斜め上から見た外観斜視図である。
【図２】図１に示す画像提示卓を構成する第１のユニットがパーソナルコンピュータの画像表示部上部に装着された状態を示す図である。
【図３】図１に示す画像提示卓と周辺機器との接続を示す図である。
【図４】図１に示す第２のユニットとは異なる第２のユニットを前面斜め上から見た外観斜視図である。
【図５】図４に示す第２のユニットに備えられたモニタ画面が矢印Ａ方向に起立された状態を示す図である。
【図６】本発明の一実施形態の画像提示システムを前面斜め上から見た外観斜視図である。
【符号の説明】
【００６９】
１,３００  画像提示卓
２  画像提示システム
１０  第１のユニット
１１＿１,３０２  装着部
１１  第１のユニットフレーム
１２,３１２  第１のカメラ
１３,３１３  第２のカメラ
１４  信号送出部
１５,３１５  マイクロホン
１６,３１６  照明部
１７,２２＿２,１０２,１２１  ケーブル
２０  第２のユニット
２１  信号受取部
２２,３３１  画像選択部
２２＿１  操作卓
２２＿３  カメラ制御部
２３,３３２  信号伝送部
２４,４４  第２のユニットフレーム
２４＿１，２４＿２,２４＿３  コネクタ
２４＿５  スロット
２４ａ  隙き間
２５,４５  保持台
３０  制御回路
３１  ＡＣ／ＤＣ変換器
３２  バッテリ
４４ａ,４４ｂ  凹部
４６  ヒンジ
４７  モニタ画面
１００,２００  パーソナルコンピュータ
１０１,２０１  画像表示部
１１０  ＩＣメモリカード
１２０  プロジェクタ
２０２  キーボード
３０１  支持部材
３０３,３０４  フレーム
３３０  収納台
【図１】
2005064847.tif 000003
【図２】
2005064847.tif 000004
【図３】
2005064847.tif 000005
【図４】
2005064847.tif 000006
【図５】
2005064847.tif 000007
【図６】
2005064847.tif 000008